(57)【要約】【課題】  送信先の端末にＭＭＳ形式のメッセージの受信が可能なものと不可能なものとがある場合でも、送信先の端末に対応したメッセージを送信する携帯電話機を提供する。【解決手段】端末情報サーバ２０により、ＳＭＳ形式及びＭＭＳ形式のうちのＭＭＳ形式のメッセージが受信可能か否かを端末種別毎に表す端末情報が管理されると共に同端末情報がＰｕｓｈメッセージＭとして送出される。又、携帯電話機１０により、送信先の名前１５ａに対応して端末の電話番号又はＥメールアドレス１５ｂ、及び端末種別情報１５ｃが記憶され、端末情報サーバ２０から端末情報がインターネットを介して受信されて記憶されると共に定期的に更新される。送信用のメッセージが作成されるとき、当該送信先の名前１５ａに対応した端末種別情報１５ｃが読み出され、同端末種別情報１５ｃに対応する端末情報に基づいてＳＭＳ形式又はＭＭＳ形式が選択されてメッセージが作成される。【選択図】図１
2006135907.tif 000002
【特許請求の範囲】
【請求項１】
送信先の名前に対応して電話番号又はメールアドレス、及び端末種別情報を記憶すると共に、複数のメッセージの形式のうちの受信可能な形式を端末種別毎に表す端末情報を記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成する構成とされていることを特徴とする携帯電話機。
【請求項２】
送信先の名前に対応して前記電話番号又はメールアドレス、及び端末種別情報が記憶されている電話帳データ記憶部と、
前記端末情報を記憶する端末情報記憶部と、
前記送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な形式を選択して前記メッセージを作成するメッセージ作成手段とを備えてなることを特徴とする請求項１記載の携帯電話機。
【請求項３】
送信先の名前に対応して電話番号又はメールアドレス、及び端末種別情報を記憶すると共に、ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成する構成とされていることを特徴とする携帯電話機。
【請求項４】
送信先の名前に対応して前記電話番号又はメールアドレス、及び端末種別情報が記憶されている電話帳データ記憶部と、
前記端末情報を記憶する端末情報記憶部と、
送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な前記ＳＭＳ形式又は前記ＭＭＳ形式を選択して前記メッセージを作成するメッセージ作成手段とを備えてなることを特徴とする請求項３記載の携帯電話機。
【請求項５】
複数のメッセージの形式のうちの受信可能な形式を端末種別毎に表す端末情報を管理すると共に該端末情報を通信回線に送出する端末情報サーバと、
送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成する携帯電話機とを備えてなることを特徴とする携帯電話システム。
【請求項６】
前記端末情報サーバは、
ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を管理すると共に該端末情報を通信回線に送出する構成とされ、
前記携帯電話機は、
送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成する構成とされていることを特徴とする請求項５記載の携帯電話システム。
【請求項７】
前記端末情報サーバは、
前記端末情報を定期的に前記通信回線に送出する構成とされ、
前記携帯電話機は、
前記端末情報サーバから前記端末情報を前記通信回線を介して受信して記憶すると共に定期的に更新する構成とされていることを特徴とする請求項５又は６記載の携帯電話システム。
【請求項８】
前記携帯電話機は、
送信先の名前に対応して前記電話番号又はメールアドレス、及び端末種別情報が記憶される電話帳データ記憶部と、
前記端末情報サーバからの前記端末情報を記憶すると共に定期的に更新する端末情報記憶部と、
送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な形式を選択して前記メッセージを作成するメッセージ作成手段とを備えてなることを特徴とする請求項７記載の携帯電話システム。
【請求項９】
通信回線上に、複数のメッセージの形式のうちの受信可能な形式を端末種別毎に表す端末情報を管理すると共に該端末情報を当該通信回線に送出する端末情報サーバを設けておき、
携帯電話機が、送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成することを特徴とするメッセージ種別制御方法。
【請求項１０】
前記端末情報サーバが、ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を管理すると共に該端末情報を当該通信回線に送出し、
前記携帯電話機が、送信先の名前に対応して端末の電話番号又はメールアドレス、及び端末種別情報を記憶し、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成することを特徴とする請求項９記載のメッセージ種別制御方法。
【請求項１１】
前記端末情報サーバが、前記端末情報を定期的に前記通信回線に送出し、
前記携帯電話機が、前記端末情報サーバから前記端末情報を前記通信回線を介して受信して記憶すると共に定期的に更新することを特徴とする請求項９又は１０記載のメッセージ種別制御方法。
【請求項１２】
前記携帯電話機が、
送信先の名前に対応して前記電話番号又はメールアドレス、及び端末種別情報を記憶する電話帳データ記憶処理と、
前記端末情報サーバからの前記端末情報を記憶すると共に定期的に更新する端末情報記憶処理と、
送信用のメッセージが作成されるとき、前記電話帳データ記憶処理で記憶された当該送信先の名前に対応した前記端末種別情報を取得し、前記端末情報記憶処理で記憶された前記端末情報から該端末種別情報に対応する端末情報を取得し、該端末情報に基づいて送信先の端末が受信可能な前記ＳＭＳ形式又は前記ＭＭＳ形式を選択するメッセージ形式選択処理と、
該選択処理の結果に基づいて前記メッセージを作成するメッセージ作成処理とを行うことを特徴とする請求項１１記載のメッセージ種別制御方法。
【請求項１３】
コンピュータに請求項５、６、７又は８記載の携帯電話機を制御させるためのメッセージ種別制御プログラム。
【発明の詳細な説明】
【技術分野】
【０００１】
この発明は、携帯電話機、携帯電話システム、メッセージ種別制御方法、メッセージ種別制御プログラムに係り、特に、送信先の端末にＭＭＳ（Short Message Service ）形式のメッセージの受信が可能なものと不可能なものとがある場合に用いて好適な携帯電話機、携帯電話システム、メッセージ種別制御方法、メッセージ種別制御プログラムに関する。
【背景技術】
【０００２】
携帯電話機のうち、たとえばＧＳＭ（Global System for Mobile communications ）方式のものでは、ＳＭＳ形式のメッセージ及びＭＭＳ形式のメッセージの両方の送受信ができる高機能のものと、ＳＭＳのみの送受信ができる廉価版のものとがある。ＳＭＳ形式のメッセージの送受信では、通話チャネルではなく制御チャネルを使用して携帯電話機単体で短い文字メッセージが送受信される。又、ＭＭＳ形式のメッセージの送受信では、音声だけでなく、テキスト、静止画、動画など、異なる種類のメッセージが送受信される。
【０００３】
この種の携帯電話機は、従来では、たとえば図３に示すものがあった。
同図に示すように、この携帯電話機１は、アンテナ２と、無線部３と、ＣＰＵ（中央処理装置）４と、操作部５と、メモリ部６とから構成されている。無線部３は、アンテナ２を介して図示しない無線基地局との間で無線電波Ｗを送受信する。操作部５は、たとえば、送信キー、英字／カナ／漢字／数字の変換キー、電源のオン／オフキー、カーソル操作を行うための十文字キー、及び終了キーなどから構成され、ユーザにより、たとえば、送信用のメッセージを作成するための操作が行われると共に、送信先の名前を図示しない表示部に表示するための操作が行われる。送信用のメッセージは、同メッセージの内容に応じて、ＳＭＳ形式又はＭＭＳ形式で作成される。
【０００４】
メモリ部６は、たとえばＲＡＭ(Random Access Memory)などで構成され、電話帳データ記憶部７を有している。電話帳データ記憶部７には、送信先の名前７ａ、電話番号７ｂ、及びＥメールアドレス７ｃが記憶されている。ＣＰＵ４は、メッセージ作成部４ａと、通信制御部４ｂとを備えている。メッセージ作成部４ａは、操作部５でメッセージを作成するための操作が行われたとき、同操作に対応したメッセージを作成する。通信制御部４ｂは、無線部３及びアンテナ２を介してメッセージを送信先の名前に対応した電話番号又はＥメールアドレスへ送出する。
【０００５】
上記の携帯電話機の他、従来、この種の技術としては、たとえば、次のような文献に記載されるものがあった。
特許文献１に記載されたメッセージ配信装置では、通信端末の宛先情報、端末種別及び、この端末種別に対応したメッセージのプロトコルが、通信端末毎に記憶され、メッセージを含む宛先情報が検出されると、この宛先情報の端末種別に対応したプロトコルが読み出され、送信用のメッセージが同プロトコルに基づいて宛先情報に含まれるメッセージに変換され、この変換されたメッセージが宛先情報に対応した通信端末に配信される。このため、通信端末の端末種別毎にプロトコル機器を設けなくても、異なるプロトコルの通信端末同士のメッセージ配信が実現する。
【０００６】
特許文献２に記載されたメッセージ送信方法では、ＭＭＳメッセージをＭＭＳ対応のシステムに属する第１の加入者装置から第２の加入者装置へ送信する場合、同第２の加入者装置がＭＭＳ対応のシステムに組み込まれていないか又はＭＭＳメッセージを受信できないとき、同ＭＭＳメッセージが同第２の加入者装置のメッセージ伝達フォーマットに従って変換され、変換されたメッセージが第２の加入者装置へ伝送される。
【特許文献１】特開２００４−１６５７５６号公報（第２２頁、図２）
【特許文献２】特表２００４−５１８３８５号公報（要約書、図１）
【発明の開示】
【発明が解決しようとする課題】
【０００７】
しかしながら、上記従来の携帯電話機では、次のような問題点があった。
すなわち、図３に示す携帯電話機では、送信用のメッセージを作成するとき、送信先の端末がサポートするメッセージの形式が不明であるため、同送信先の端末がＳＭＳ形式のメッセージしかサポートしていない場合、ＭＭＳ形式のメッセージを送信すると、同送信先の端末で同メッセージの受信ができないという問題点がある。
【０００８】
また、特許文献１に記載されたメッセージ配信装置では、通信端末の端末種別毎にプロトコル機器を設けないことが主旨であるため、この発明とは主旨が異なる。
【０００９】
特許文献２に記載されたメッセージ送信方法では、ＭＭＳメッセージが第２の加入者装置のメッセージ伝達フォーマットに従って変換されるため、この発明とは構成及び主旨が異なる。
【００１０】
この発明は、上述の事情に鑑みてなされたもので、送信先の端末にＭＭＳ形式のメッセージの受信が可能なものと不可能なものとがある場合でも、送信先の端末に対応したメッセージを送信する携帯電話機を提供することを目的としている。
【課題を解決するための手段】
【００１１】
上記課題を解決するために、請求項１記載の発明は、携帯電話機に係り、送信先の名前に対応して電話番号又はメールアドレス、及び端末種別情報を記憶すると共に、複数のメッセージの形式のうちの受信可能な形式を端末種別毎に表す端末情報を記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成する構成とされていることを特徴としている。
【００１２】
請求項２記載の発明は、請求項１記載の携帯電話機に係り、送信先の名前に対応して前記電話番号又はメールアドレス、及び端末種別情報が記憶されている電話帳データ記憶部と、前記端末情報を記憶する端末情報記憶部と、前記送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な形式を選択して前記メッセージを作成するメッセージ作成手段とを備えてなることを特徴としている。
【００１３】
請求項３記載の発明は、携帯電話機に係り、送信先の名前に対応して電話番号又はメールアドレス、及び端末種別情報を記憶すると共に、ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成する構成とされていることを特徴としている。
【００１４】
請求項４記載の発明は、請求項３記載の携帯電話機に係り、送信先の名前に対応して前記電話番号又はメールアドレス、及び端末種別情報が記憶されている電話帳データ記憶部と、前記端末情報を記憶する端末情報記憶部と、送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な前記ＳＭＳ形式又は前記ＭＭＳ形式を選択して前記メッセージを作成するメッセージ作成手段とを備えてなることを特徴としている。
【００１５】
請求項５記載の発明は、携帯電話システムに係り、複数のメッセージの形式のうちの受信可能な形式を端末種別毎に表す端末情報を管理すると共に該端末情報を通信回線に送出する端末情報サーバと、送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成する携帯電話機とを備えてなることを特徴としている。
【００１６】
請求項６記載の発明は、請求項５記載の携帯電話システムに係り、前記端末情報サーバは、ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を管理すると共に該端末情報を通信回線に送出する構成とされ、前記携帯電話機は、送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成する構成とされていることを特徴としている。
【００１７】
請求項７記載の発明は、請求項５又は６記載の携帯電話システムに係り、前記端末情報サーバは、前記端末情報を定期的に前記通信回線に送出する構成とされ、前記携帯電話機は、前記端末情報サーバから前記端末情報を前記通信回線を介して受信して記憶すると共に定期的に更新する構成とされていることを特徴としている。
【００１８】
請求項８記載の発明は、請求項７記載の携帯電話システムに係り、前記携帯電話機は、送信先の名前に対応して前記電話番号又はメールアドレス、及び端末種別情報が記憶される電話帳データ記憶部と、前記端末情報サーバからの前記端末情報を記憶すると共に定期的に更新する端末情報記憶部と、送信用のメッセージが作成されるとき、前記電話帳データ記憶部から当該送信先の名前に対応した前記端末種別情報を取得し、該取得した端末種別情報に対応する前記端末情報を前記端末情報記憶部から取得し、該端末情報に基づいて、送信先の端末が受信可能な形式を選択して前記メッセージを作成するメッセージ作成手段とを備えてなることを特徴としている。
【００１９】
請求項９記載の発明は、メッセージ種別制御方法に係り、通信回線上に、複数のメッセージの形式のうちの受信可能な形式を端末種別毎に表す端末情報を管理すると共に該端末情報を当該通信回線に送出する端末情報サーバを設けておき、携帯電話機が、送信先の名前に対応して端末の電話番号又はメールアドレス、及び端末種別情報が記憶され、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記受信可能な形式を選択して前記メッセージを作成することを特徴としている。
【００２０】
請求項１０記載の発明は、請求項９記載のメッセージ種別制御方法に係り、前記端末情報サーバが、ＳＭＳ（Short Message Service 、ショート・メッセージ・サービス）形式及びＭＭＳ（Multimedia Message Service、マルチメディア・メッセージ・サービス）形式のうちの該ＭＭＳ形式のメッセージが受信可能か否かを端末種別毎に表す端末情報を管理すると共に該端末情報を当該通信回線に送出し、前記携帯電話機が、送信先の名前に対応して端末の電話番号又はメールアドレス、及び端末種別情報を記憶し、前記端末情報サーバから前記端末情報を前記通信回線を介して受信して記憶し、送信用のメッセージが作成されるとき、当該送信先の名前に対応した前記端末種別情報を読み出し、該読み出した端末種別情報に対応する前記端末情報に基づいて前記ＳＭＳ形式又は前記ＭＭＳ形式を選択して前記メッセージを作成することを特徴としている。
【００２１】
請求項１１記載の発明は、請求項９又は１０記載のメッセージ種別制御方法に係り、前記端末情報サーバが、前記端末情報を定期的に前記通信回線に送出し、前記携帯電話機が、前記端末情報サーバから前記端末情報を前記通信回線を介して受信して記憶すると共に定期的に更新することを特徴としている。
【００２２】
請求項１２記載の発明は、請求項１１記載のメッセージ種別制御方法に係り、前記携帯電話機が、送信先の名前に対応して前記電話番号又はメールアドレス、及び端末種別情報を記憶する電話帳データ記憶処理と、前記端末情報サーバからの前記端末情報を記憶すると共に定期的に更新する端末情報記憶処理と、送信用のメッセージが作成されるとき、前記電話帳データ記憶処理で記憶された当該送信先の名前に対応した前記端末種別情報を取得し、前記端末情報記憶処理で記憶された前記端末情報から該端末種別情報に対応する端末情報を取得し、該端末情報に基づいて送信先の端末が受信可能な前記ＳＭＳ形式又は前記ＭＭＳ形式を選択するメッセージ形式選択処理と、該選択処理の結果に基づいて前記メッセージを作成するメッセージ作成処理とを行うことを特徴としている。
【００２３】
請求項１３記載の発明は、メッセージ種別制御プログラムに係り、コンピュータに請求項５、６、７又は８記載の携帯電話機を制御させることを特徴としている。
【発明の効果】
【００２４】
この発明の構成によれば、携帯電話機は、送信先の名前に対応して電話番号又はメールアドレス、及び端末種別情報を記憶すると共に、複数のメッセージの形式のうちの受信可能な形式を端末種別毎に表す端末情報を記憶し、送信用のメッセージが作成されるとき、当該送信先の名前に対応した端末種別情報を読み出し、読み出した端末種別情報に対応する端末情報に基づいて受信可能な形式を選択してメッセージを作成するので、送信先の端末に受信が可能な形式と不可能な形式とがある場合でも、送信先の端末に対応したメッセージを送信でき、送信先の端末が受信不可能なメッセージを送信することを防止できる。
【００２５】
又、端末情報サーバにより、複数のメッセージの形式のうちの受信可能な形式を端末種別毎に表す端末情報が管理されると共に同端末情報が通信回線に送出され、又、携帯電話機により、送信先の名前に対応して端末の電話番号又はメールアドレス、及び端末種別情報が記憶され、端末情報サーバから端末情報が通信回線を介して受信されて記憶される。送信用のメッセージが作成されるとき、当該送信先の名前に対応した端末種別情報が読み出され、同端末種別情報に対応する端末情報に基づいて受信可能な形式が選択されてメッセージが作成される。このため、送信先の端末に受信が可能な形式と不可能な形式とがある場合でも、送信先の端末に対応したメッセージを送信でき、送信先の端末が受信不可能なメッセージを送信することを防止できる。
【００２６】
又、端末情報サーバにより、端末情報が通信回線に定期的に送出され、携帯電話機により、同端末情報サーバからの端末情報が定期的に更新されるので、同携帯電話機では、常に最新の端末情報が記憶され、メッセージの形式の選択を正確に行うことができる。
【発明を実施するための最良の形態】
【００２７】
送信先の端末にＭＭＳ形式のメッセージの受信が可能なものと不可能なものとがある場合に、同ＭＭＳ形式のメッセージが受信可能か否かを端末種別毎に表す端末情報を取得し、同端末情報に基づいてＳＭＳ形式又はＭＭＳ形式を選択してメッセージを作成する構成とされている携帯電話機を提供する。
【実施例】
【００２８】
図１は、この発明の実施例である携帯電話システムの要部の電気的構成を示すブロック図である。
この例の携帯電話システムは、同図に示すように、携帯電話機１０と、端末情報サーバ２０とから構成されている。携帯電話機１０は、無線部１１と、アンテナ１１ａと、操作部１２と、ＣＰＵ（中央処理装置）１３ａと、ＲＯＭ（Read Only Memory）１３ｂと、メモリ部１４とから構成されている。無線部１１は、アンテナ１１ａを介して図示しない無線基地局との間で無線電波Ｗを送受信する。同無線基地局は、図示しない在圏移動通信交換局及び関門移動通信交換局を介して通常の電話回線に接続されている。
【００２９】
操作部１２は、たとえば、送信キー、英字／カナ／漢字／数字の変換キー、電源のオン／オフキー、カーソル操作を行うための十文字キー、及び終了キーなどから構成され、ユーザにより、たとえば、送信用のメッセージを作成するための操作が行われると共に、送信先の名前を図示しない表示部に表示するための操作が行われる。メモリ部１４は、たとえばＲＡＭなどで構成され、電話帳データ記憶部１５と、端末情報記憶部１６とを有している。電話帳データ記憶部１５には、送信先の名前１５ａ、電話番号及びＥメールアドレス１５ｂ、及び端末種別情報１５ｃが記憶されている。同端末種別情報１５ｃは、送信先の名前１５ａに対応する端末の種別を示すものであり、ユーザの操作により、電話番号及びＥメールアドレス１５ｂと共に登録される。端末情報記憶部１６には、端末情報サーバ２０から送出された端末種別情報１６ａ及びＭＭＳサポート有無情報１６ｂが記憶され、定期的に更新されるようになっている。
【００３０】
ＣＰＵ１３ａは、携帯電話機１０全体を制御し、特に、この実施例では、通信制御部１７と、Ｐｕｓｈメッセージ処理部１８と、メッセージ制御部１９と、エディタ部１Ａとを有している。通信制御部１７は、端末情報サーバ２０からのＰｕｓｈメッセージＭをアンテナ１１ａ及び無線部１１を介して受信する一方、同無線部１１及びアンテナ１１ａを介して送信用のメッセージを送信先の名前に対応した電話番号又はＥメールアドレスへ送出する。Ｐｕｓｈメッセージ処理部１８は、通信制御部１７で受信されたＰｕｓｈメッセージＭを端末情報記憶部１６へ送出する。
【００３１】
メッセージ制御部１９は、操作部１２で送信用のメッセージを作成するための操作が行われるとき、電話帳データ記憶部１５から当該送信先の名前１５ａに対応した電話番号及びＥメールアドレス１５ｂと共に端末種別情報１５ｃを取得し、同端末種別情報１５ｃに対応する端末情報を端末情報記憶部１６から取得し、同端末情報に基づいて、送信先の端末が受信可能なＳＭＳ形式又はＭＭＳ形式を選択して同メッセージを作成し、通信制御部１７へ送出する。特に、この実施例では、メッセージ制御部１９は、送信先の端末がＭＭＳ形式をサポートしていれば、メッセージをＭＭＳ形式としてエディタ部１Ａを起動し、ＭＭＳ形式をサポートしていなければ、メッセージをＳＭＳ形式として同エディタ部１Ａを起動する。エディタ部１Ａは、メッセージ制御部１９の制御に基づいてＭＭＳ形式又はＳＭＳ形式のメッセージを編集する。ＲＯＭ１３ｂは、ＣＰＵ１３ａを動作させるためのメッセージ種別制御プログラムが記録されている。
【００３２】
端末情報サーバ２０は、たとえばインターネット（通信回線）に接続され、端末情報記憶部２１を有している。端末情報記憶部２１の各エントリには、端末種別情報２１ａ及びＭＭＳサポート有無情報２１ｂが記憶されている。端末種別情報２１ａは、各端末が発売されたとき、たとえば端末の販売会社などからインターネットを介して、端末種別毎のＭＭＳサポート有無情報２１ｂと共に送出されて登録される。ＭＭＳサポート有無情報２１ｂは、ＳＭＳ形式及びＭＭＳ形式のうちの同ＭＭＳ形式のメッセージが受信可能か否かを表す。又、端末情報サーバ２０は、端末種別情報２１ａ及びＭＭＳサポート有無情報２１ｂをＰｕｓｈメッセージＭとして定期的にインターネットを介して携帯電話機１０に送出する。
【００３３】
図２は、図１の携帯電話機１０の動作を説明するフローチャートである。
この図を参照して、この例の携帯電話システムに用いられるメッセージ種別制御方法の処理内容について説明する。
この携帯電話システムでは、インターネット（通信回線）上に端末情報サーバ２０が設けられ、同端末情報サーバ２０により、ＳＭＳ形式及びＭＭＳ形式のうちの同ＭＭＳ形式のメッセージが受信可能か否かを端末種別毎に表す端末情報が管理されると共に同端末情報がＰｕｓｈメッセージＭとして定期的に同インターネットに送出される。又、携帯電話機１０により、送信先の名前１５ａに対応して端末の電話番号又はＥメールアドレス１５ｂ、及び端末種別情報１５ｃが記憶され、端末情報サーバ２０から端末情報がインターネットを介して受信されて記憶されると共に定期的に更新される。そして、送信用のメッセージが作成されるとき、当該送信先の名前１５ａに対応した端末種別情報１５ｃが読み出され、同読み出された端末種別情報１５ｃに対応する同端末情報に基づいてＳＭＳ形式又はＭＭＳ形式が選択されてメッセージが作成される。
【００３４】
すなわち、図２に示すように、ユーザの操作により、電話帳データ記憶部１５に、送信先の名前１５ａに対応して電話番号又はＥメールアドレス１５ｂ、及び端末種別情報１５ｃが記憶される（ステップＡ１、電話帳データ記憶処理）。又、端末情報サーバ２０から端末情報がＰｕｓｈメッセージＭとして送信され、端末情報記憶部１６に記憶されると共に定期的に更新される（ステップＡ２、端末情報記憶処理）。一方、ユーザが操作部１２を操作することにより送信用のメッセージが作成されるとき、電話帳データ記憶処理（ステップＡ１）で記憶された送信先の名前１５ａが検索され、当該送信先の名前１５ａが登録されている場合、同名前１５ａに対応した端末種別情報１５ｃがメッセージ制御部１９で取得され、端末情報記憶処理（ステップＡ２）で端末情報記憶部１６に記憶された端末情報から同端末種別情報１５ｃに対応する端末情報が取得され、同端末情報に基づいて送信先の端末が受信可能なＳＭＳ形式又はＭＭＳ形式が選択される（ステップＡ３、メッセージ形式選択処理）。
【００３５】
この場合、メッセージ制御部１９では、ＭＭＳサポート有無情報１６ｂに基づき、送信先の端末がＭＭＳ形式をサポートしていれば、メッセージをＭＭＳ形式としてエディタ部１Ａが起動され、ＭＭＳ形式をサポートしていなければ、メッセージをＳＭＳ形式として同エディタ部１Ａが起動される。そして、送信先の端末がＭＭＳ形式をサポートしていない場合、ＳＭＳ形式によるメッセージが作成され（ステップＡ４）、同メッセージが送信される（ステップＡ５）。又、送信先の端末がＭＭＳ形式をサポートしている場合、ＭＭＳ形式によるメッセージが作成され（ステップＡ６）、同メッセージが送信される（ステップＡ７）。
【００３６】
以上のように、この実施例では、端末情報サーバ２０により、ＳＭＳ形式及びＭＭＳ形式のうちのＭＭＳ形式のメッセージが受信可能か否かを端末種別毎に表す端末情報が管理されると共に同端末情報がＰｕｓｈメッセージＭとして定期的に送出される。又、携帯電話機１０により、送信先の名前１５ａに対応して端末の電話番号又はＥメールアドレス１５ｂ、及び端末種別情報１５ｃが記憶され、端末情報サーバ２０から端末情報がインターネットを介して受信されて記憶されると共に定期的に更新される。送信用のメッセージが作成されるとき、当該送信先の名前１５ａに対応した端末種別情報１５ｃが読み出され、同端末種別情報１５ｃに対応する端末情報に基づいてＳＭＳ形式又はＭＭＳ形式が選択されてメッセージが作成される。このため、送信先の端末にＭＭＳ形式のメッセージの受信が可能なものと不可能なものとがある場合でも、送信先の端末に対応したメッセージが送信され、送信先が受信不可能なメッセージを送信することが防止される。又、端末情報サーバ２０により、端末情報がインターネットに定期的に送出され、携帯電話機１０により、同端末情報サーバ２０からの端末情報が定期的に更新されるので、同携帯電話機１０では、常に最新の端末情報が記憶され、メッセージの形式の選択が正確に行われる。
【００３７】
以上、この発明の実施例を図面により詳述してきたが、具体的な構成は同実施例に限られるものではなく、この発明の要旨を逸脱しない範囲の設計の変更などがあっても、この発明に含まれる。
たとえば、図２中のステップＡ１とステップＡ２は、順序が逆でも良い。又、端末情報サーバ２０のＰｕｓｈメッセージＭを送出する機能を省略し、端末情報記憶部１６に記憶される端末情報は、ユーザの操作により、端末情報サーバ２０へアクセスして取り寄せることにより、更新するようにしても良い。この場合、端末情報記憶部１６に記憶される端末情報が定期的に更新されないが、上記実施例に準じた作用、効果が得られる。
【産業上の利用可能性】
【００３８】
この発明は、たとえばＰＤＡ（Personal Digital Assistants ）など、携帯電話機の機能を有する端末全般に適用でき、特に、送信先の端末にＭＭＳ形式のメッセージの受信が可能なものと不可能なものとがある場合に有効である。
【図面の簡単な説明】
【００３９】
【図１】この発明の実施例である携帯電話システムの要部の電気的構成を示すブロック図である。
【図２】図１の携帯電話機１０の動作を説明するフローチャートである。
【図３】従来の携帯電話機の要部の電気的構成を示す図である。
【符号の説明】
【００４０】
１０      携帯電話機
１１      無線部
１１ａ      アンテナ
１２      操作部（メッセージ作成手段の一部）
１３ａ      ＣＰＵ（中央処理装置、メッセージ作成手段の一部）
１３ｂ      ＲＯＭ（Read Only Memory、メッセージ作成手段の一部）
１４      メモリ部（電話帳データ記憶部）
１５      電話帳データ記憶部
１５ａ      送信先の名前
１５ｂ      電話番号及びＥメールアドレス
１５ｃ      端末種別情報
１６      端末情報記憶部
１６ａ      端末種別情報
１６ｂ      ＭＭＳサポート有無情報
１７      通信制御部
１８      Ｐｕｓｈメッセージ処理部（メッセージ作成手段の一部）
１９      メッセージ制御部（メッセージ作成手段の一部）
１Ａ      エディタ部（メッセージ作成手段の一部）
２０      端末情報サーバ
２１      端末情報記憶部（端末情報サーバの一部）
２１ａ      端末種別情報
２１ｂ      ＭＭＳサポート有無情報
【図１】
2006135907.tif 000003
【図２】
2006135907.tif 000004
【図３】
2006135907.tif 000005